【手続補正書】
【提出日】平成16年10月5日(2004.10.5)
【手続補正１】
【補正対象書類名】明細書
【補正対象項目名】請求項１６
【補正方法】変更
【補正の内容】
【請求項１６】
前記第２のフィルタから出力された信号を復調する復調部をさらに含む、請求項１２に記載の光受信装置。
【手続補正２】
【補正対象書類名】明細書
【補正対象項目名】００４７
【補正方法】変更
【補正の内容】
【００４７】
周波数変換部３５は、光電気変換部３１から出力された信号を、発振部３４から出力された正弦波信号の周波数だけダウンコンバートする。第２のフィルタ３６は、ベースバンドにある信号を抽出する機能を有しており、従って、周波数変換部３５から出力された信号の中から最も低い周波数の信号のみを抽出する。例えば、発振部３４から出力される正弦波信号の周波数がｆ１であれば、光電気変換部３１から出力された信号がｆ１だけダウンコンバードされるので、第２のフィルタ３６からは、ｃｈ１の信号だけが出力されることになる。
【手続補正３】
【補正対象書類名】明細書
【補正対象項目名】００５３
【補正方法】変更
【補正の内容】
【００５３】
計数部３３は、第１のフィルタ３２から出力されるクロック信号の数をカウントして、カウント結果に対応した制御信号−図４（ｄ）−を出力する。計数部３３から出力される制御信号は、発振部３４へと与えられ、発振部３４からは、当該制御信号の値に一意に対応した周波数の正弦波信号−図４（ｅ）−が出力される。発振部３４から出力される正弦波信号は、周波数変換部３５に与えられる。
【手続補正４】
【補正対象書類名】明細書
【補正対象項目名】００６５
【補正方法】変更
【補正の内容】
【００６５】
以降の処理は、図１のシステムと同様である。すなわち、計数部３３がクロック信号をカウントして、カウント結果に対応した制御信号（信号値Ｖ１，Ｖ２，…）を出力すると、発振部３４からは、この制御信号に対応した正弦波信号（周波数ｆ１，ｆ２，…）が出力される。周波数変換部３５は、光電気変換部３１から出力された電気信号と、発振部３４から出力された正弦波信号とを受け、当該電気信号を当該正弦波信号の周波数だけダウンコンバートする。そして、周波数変換部３５から出力された電気信号が第２のフィルタ３６に入力され、第２のフィルタ３６からは、４つの信号のうち最も低い周波数の信号が出力される。識別部３７は、第２のフィルタ３６から出力された信号と、クロック生成部３８からのクロック信号とを受け、第２のフィルタ３６から出力された信号を当該クロック信号のタイミングで識別する。そして、識別部３７が識別した結果が、シリアル形式のデータとして出力される。
【手続補正５】
【補正対象書類名】明細書
【補正対象項目名】００７５
【補正方法】変更
【補正の内容】
【００７５】
一方、光受信装置３０において、計数部３３から出力される制御信号は、第１の実施形態と同様である。従って、図７（ｄ）および（ｅ）や図８に示されているように、発振部３４に入力される制御信号の値と、発振部３４から出力される正弦波信号の周波数とは、Ｖ１とｆ４、Ｖ２とｆ１、…などのように、互いに１期間ずつずれている。なお、第１の実施形態では、Ｖ１とｆ１、Ｖ２とｆ２、…のように、両者が互いに対応していた（図４（ｄ）および（ｅ）や図３を参照）。
【手続補正６】
【補正対象書類名】明細書
【補正対象項目名】００８４
【補正方法】変更
【補正の内容】
【００８４】
光受信装置３０では、伝送されてきた光信号が光電気変換部３１で電気信号に変換され、その電気信号が周波数変換部３５と第１のフィルタ３２とに与えられる。第１のフィルタ３２は、与えられた電気信号からクロック信号だけを抽出して、計数部３３に与える。その後、計数部３３がクロック信号をカウントし、カウント結果に対応した制御信号を出力すると、発振部３４ａからは、この制御信号に対応した正弦波信号が出力される。
【手続補正７】
【補正対象書類名】明細書
【補正対象項目名】００９８
【補正方法】変更
【補正の内容】
【００９８】
一方、光受信装置３０にも、第１のデータシリアル信号用の処理系−すなわち計数部３３１、発振部３４１、周波数変換部３５１、第２のフィルタ３６１および識別部３７１−と、第２のシリアルデータ信号用の処理系−すなわち計数部３３２、発振部３４２、周波数変換部３５２、第２のフィルタ３６２および識別部３７２−との２つの処理系が設けられる。光電気変換部３１から出力された電気信号が第１のフィルタ３２と周波数変換部３５１および３５２とに入力される。第１のフィルタ３２は、入力された電気信号からクロック信号だけを抽出し、当該クロックが計数部３３１および３３２と、識別部３７１および３７２とに与えられる。
【手続補正８】
【補正対象書類名】明細書
【補正対象項目名】０１００
【補正方法】変更
【補正の内容】
【０１００】
一方、第２の処理系側では、第２のシリアルデータ信号がシリアル／パラレル変換部１１２に入力され、シリアル／パラレル変換部１１２からは、パラレル形式の信号ｃｈ１〜ｃｈ４が出力される。これらの信号ｃｈ１〜ｃｈ４が変調部１２５〜１２８に入力され、変調部１２５〜１２８からは、変調信号ｆ１’〜ｆ４’が出力される。
【手続補正９】
【補正対象書類名】明細書
【補正対象項目名】０１０３
【補正方法】変更
【補正の内容】
【０１０３】
第１の処理系側において、計数部３３１は、第１のフィルタ３２から出力されるクロック信号の数をカウントして、カウント結果に対応した制御信号を出力する。計数部３３１から出力される制御信号は、発振部３４１へと与えられ、発振部３４１からは、当該制御信号の値に一意に対応した周波数の正弦波信号が出力される。発振部３４１から出力される正弦波信号は、周波数変換部３５１に与えられる。
【手続補正１０】
【補正対象書類名】明細書
【補正対象項目名】０１０４
【補正方法】変更
【補正の内容】
【０１０４】
周波数変換部３５１は、光電気変換部３１から出力された電気信号―周波数がｆ１〜ｆ４，ｆ１’〜ｆ４’である８つのデータ信号を含んでいる―と、発振部３４１から出力された正弦波信号―その周波数はｆ１〜ｆ４のいずれかである―とを受け、当該電気信号を当該正弦波信号の周波数だけダウンコンバートする。
【手続補正１１】
【補正対象書類名】明細書
【補正対象項目名】０１０６
【補正方法】変更
【補正の内容】
【０１０６】
一方、第２の処理系側においても同様の処理が行われる。すなわち、計数部３３２は、第１のフィルタ３２から出力されるクロック信号の数をカウントして、カウント結果に対応した制御信号を出力する。計数部３３２から出力される制御信号は、発振部３４２へと与えられ、発振部３４２からは、当該制御信号の値に一意に対応した周波数の正弦波信号が出力される。発振部３４２から出力される正弦波信号は、周波数変換部３５２に与えられる。
【手続補正１２】
【補正対象書類名】明細書
【補正対象項目名】０１０７
【補正方法】変更
【補正の内容】
【０１０７】
周波数変換部３５２は、光電気変換部３１から出力された電気信号―周波数がｆ１〜ｆ４，ｆ１’〜ｆ４’である８つのデータ信号を含んでいる―と、発振部３４１から出力された正弦波信号―その周波数はｆ１’〜ｆ４’のいずれかである―とを受け、当該電気信号を当該正弦波信号の周波数だけダウンコンバートする。
【手続補正１３】
【補正対象書類名】明細書
【補正対象項目名】０１０８
【補正方法】変更
【補正の内容】
【０１０８】
周波数変換部３５２から出力された電気信号は、第２のフィルタ３６２に入力され、第２のフィルタ３６２からは、ダウンコンバード後の電気信号に含まれている４つの信号ｆ１’〜ｆ４’のうち最も低い周波数の信号が出力される。識別部３７２は、第２のフィルタ３６２から出力された信号と、第１のフィルタ３２から出力されたクロック信号とを受け、第２のフィルタ３６２から出力された信号を当該クロック信号のタイミングで識別する。そして、識別部３７２が識別した結果が、シリアル形式の第２のデータとして出力される。
こうして、光受信装置３０からは、シリアル形式の２つのデータ信号が外部へと出力される。
【手続補正１４】
【補正対象書類名】明細書
【補正対象項目名】０１１１
【補正方法】変更
【補正の内容】
【０１１１】
以上のように、本実施形態においては、第１の実施形態と同様の効果に加え、１つの光信号で複数の系列のデータ信号を伝送できるため、１つのデータ信号が占有する帯域と比較して光信号の伝送帯域に余裕がある場合、これを有効に利用することができるという効果が得られる。